(57)【要約】【課題】従来の原稿修正指示システムでは、修正対象となる印刷媒体に制約があるのみならず、デザイン発注者と印刷業者との間で個々の修正箇所がどのように修正されたのかについて、正確に把握し分析することが困難であった。【解決手段】印刷物の原稿イメージ画像を格納する原稿イメージ画像格納部と、格納されている原稿イメージ画像を送信する送信部と、送信した原稿イメージ画像上に手書きで描かれることで生成された一以上の文字等を含む修正依頼を受信する修正依頼受信部と、画像認識処理によって手書きで描かれた文字等を一の修正依頼単位で認識し、これら一の修正依頼単位毎に文字等と関連付けてタスクＩＤを記録するタスクＩＤ記録部と、原稿イメージ画像上に前記タスクＩＤとこのタスクＩＤに関連付けられた手書きで描かれた文字等とを関連付けて表示する表示部と、を有する修正指示装置などを提案する。【選択図】図４
2014071642.tif 000002
【特許請求の範囲】
【請求項１】
印刷物の原稿イメージ画像を格納する原稿イメージ画像格納部と、
格納されている原稿イメージ画像を送信する送信部と、
送信した原稿イメージ画像上に手書きで描かれることで生成された一以上の文字等を含む修正依頼を受信する修正依頼受信部と、
前記手書きで描かれた文字等の画像認識処理によって前記手書きで描かれた文字等を一の修正依頼単位で認識し、これら一の修正依頼単位毎に文字等と関連付けてタスクＩＤを記録するタスクＩＤ記録部と、
前記原稿イメージ画像上に前記タスクＩＤとこのタスクＩＤに関連付けられた前記手書きで描かれた文字等とを関連付けて表示する表示部と、
を有する修正指示装置。
【請求項２】
表示部によってディスプレイ上に表示される原稿イメージ画像とタスクＩＤに関連付けて表示される前記手書きで描かれた文字等との少なくともいずれかを強調表示し又は非強調表示するための表示調整部をさらに有する請求項１に記載の修正指示装置。
【請求項３】
原稿イメージ画像を修正する原稿イメージ画像修正部と、
前記一の修正毎にこれを前記タスクＩＤとを関連付けて保持する修正履歴保持部と、
をさらに有する請求項１又は２に記載の修正指示装置。
【請求項４】
前記送信部から送信された原稿イメージ画像を受信する原稿イメージ画像受信部と、
受信した原稿イメージ画像上に手書きで修正依頼である文字等を描く修正描画部と、
修正描画部での描画に基づいて前記修正依頼を生成する修正依頼生成部と、
生成された修正依頼を送信する修正依頼送信部と、
を有する修正端末。
【請求項５】
請求項１から３のいずれか一に記載の修正指示装置と、請求項４に記載の修正端末とからなる修正指示システム。
【請求項６】
前記修正端末の修正依頼生成部は、修正描画部での描画に基づいて修正の指示の文字等を含み原稿イメージ画像を含まない修正依頼を生成する修正依頼コンパクト化手段を有する請求項５に記載の修正指示システム。
【請求項７】
印刷物の原稿イメージ画像を記録する原稿イメージ画像記録ステップと、
記録されている原稿イメージ画像を送信する送信ステップと、
送信ステップにて送信した原稿イメージ画像上に手書きで描かれることで生成された一以上の文字等を含む修正依頼を受信する修正依頼受信ステップと、
前記手書きで描かれた文字等の画像認識処理によって前記手書きで描かれた文字等を一の修正依頼単位で認識し、これら一の修正依頼単位毎に文字等と関連付けてタスクＩＤを記録するタスクＩＤ記録ステップと、
前記原稿イメージ画像上に前記タスクＩＤとこのタスクＩＤに関連付けられた前記手書きで描かれた文字等とを関連付けて表示する表示ステップと、
を有する原稿修正指示方法。
【請求項８】
印刷物の原稿イメージ画像を記録する原稿イメージ画像記録ステップと、
原稿イメージ画像記録ステップにて記録されている原稿イメージ画像を修正端末に送信する送信ステップと、
送信ステップにて送信した原稿イメージ画像上に手書きで描かれることで生成された一以上の文字等を含む修正依頼を受信する修正依頼受信ステップと、
前記手書きで描かれた文字等の画像認識処理によって前記手書きで描かれた文字等を一の修正依頼単位で認識し、これら一の修正依頼単位毎に文字等と関連付けてタスクＩＤを記録するタスクＩＤ記録ステップと、
前記原稿イメージ画像上に前記タスクＩＤとこのタスクＩＤに関連付けられた前記手書きで描かれた文字等とを関連付けて表示する表示ステップと、
を計算機に実行させるためのプログラム。
【請求項９】
前記送信ステップにより送信された原稿イメージ画像を受信する原稿イメージ画像受信ステップと、
原稿イメージ画像受信ステップにて受信した原稿イメージ画像上に手書きで修正依頼である文字等を描く修正描画ステップと、
修正描画ステップでの描画に基づいて前記修正依頼を生成する修正依頼生成ステップと、
修正依頼生成ステップにて生成された修正依頼を送信する修正依頼送信ステップと、
を計算機に実行させるためのプログラム。
【請求項１０】
印刷物の原稿イメージ画像を記録する原稿イメージ画像記録ステップと、
原稿イメージ画像記録ステップにて記録されている原稿イメージ画像を修正端末に送信する送信ステップと、
送信ステップにて送信した原稿イメージ画像上に手書きで描かれることで生成された一以上の文字等を含む修正依頼を受信する修正依頼受信ステップと、
前記手書きで描かれた文字等の画像認識処理によって前記手書きで描かれた文字等を一の修正依頼単位で認識し、これら一の修正依頼単位毎に文字等と関連付けてタスクＩＤを記録するタスクＩＤ記録ステップと、
前記原稿イメージ画像上に前記タスクＩＤとこのタスクＩＤに関連付けられた前記手書きで描かれた文字等とを関連付けて表示する表示ステップと、
を計算機に実行させるためのプログラムを計算機に読み取り可能に記録した記録媒体。
【請求項１１】
前記送信ステップにより送信された原稿イメージ画像を受信する原稿イメージ画像受信ステップと、
原稿イメージ画像受信ステップにより受信した原稿イメージ画像上に手書きで修正依頼である文字等を描く修正描画ステップと、
修正描画ステップでの描画に基づいて前記修正依頼を生成する修正依頼生成ステップと、
修正依頼生成ステップにて生成された修正依頼を送信する修正依頼送信ステップと、
を計算機に実行させるためのプログラムを計算機に読み取り可能に記録した記録媒体。
【発明の詳細な説明】
【技術分野】
【０００１】
本発明は印刷物の原稿にかかる修正指示装置、修正端末、修正指示システム、原稿修正指示方法、修正指示プログラム、および修正指示プログラムを記録した記録媒体に関する。
【背景技術】
【０００２】
従来から、書籍やカタログ、パンフレット等の印刷物を取り扱う印刷業者は、当該印刷物の受注から印刷までの間、デザイン発注者との間で当該印刷物のデザインや内容などにつき繰り返し打ち合わせを行う。そして、この打ち合わせを経て複数回にわたり校正あるいは修正を繰り返すこともあり、印刷業者の担当者はその都度デザイン発注者と自社や修正を担当するデザイナー等との間を行き来する必要に迫られていた。印刷対象となる原稿が数枚程度であれば、ＦＡＸ等の通信手段を用いることにより上記担当者の負担を一定程度軽減することは可能であるが、例えば電話帳等のように原稿が数百枚単位に及ぶ場合には、当該原稿のＦＡＸ送付は原稿枚数の多さの観点から非経済的・非効率的であるし、当該原稿の情報を電子化して電子メールに添付する方法等によりデザイン発注者等に送信する方法をとっても、受け取ったデザイン発注者等の側でこれらの原稿内容や修正点等を整理したうえで業者担当者にフィードバックすることは困難であった。
【０００３】
かかる課題の克服を目的として、従来から、特許文献１や２に記載のように、ネットワークを利用してデザイン発注者が原稿の修正指示を行うための装置あるいはシステムに関する技術が知られている。
【先行技術文献】
【特許文献】
【０００４】
【特許文献１】特開２００４−２３５９７５
【特許文献２】特開２００７−２４９８８０
【発明の概要】
【発明が解決しようとする課題】
【０００５】
しかしながら、特許文献１に記載の発明は、修正指示の手段として紙媒体への手書きが必須の構成要件であった。当該修正指示方法においては、修正箇所が複数ある場合にも個々の修正箇所が区別されることなく単に表示されるに過ぎないため、当該表示を見た修正担当者はもちろん、修正依頼を行ったデザイン発注者自身ですら修正依頼の全容を的確に把握できているとは言い難かった。
【０００６】
また、特許文献２に記載の発明は、修正指示対象部分の座標値を取得したうえで、当該座標値で示される特定範囲の修正箇所を認識することが可能であるものの、特殊な構造の印刷媒体を用いる必要があるという点において特許文献１と同様の不便さがあり、さらには修正箇所数についても同様にこれを把握することが困難であった。このように、従来技術のもとでデザイン発注者がネットワークを利用して修正を指示する際には、当該修正の対象となる印刷媒体に制約があるのみならず、修正箇所の総数がどの程度あるかについては特段意を介しておらず、デザイン発注者と印刷業者との間で個々の修正箇所がどのように修正されたのかについて、正確に把握し分析することが困難であった。
【課題を解決するための手段】
【０００７】
以上のような課題を解決するために、本発明は、印刷物の原稿イメージ画像を格納する原稿イメージ画像格納部と、格納されている原稿イメージ画像を送信する送信部と、送信した原稿イメージ画像上に手書きで描かれることで生成された一以上の文字等を含む修正依頼を受信する修正依頼受信部と、前記手書きで描かれた文字等の画像認識処理によって前記手書きで描かれた文字等を一の修正依頼単位で認識し、これら一の修正依頼単位毎に文字等と関連付けてタスクＩＤを記録するタスクＩＤ記録部と、前記原稿イメージ画像上に前記タスクＩＤとこのタスクＩＤに関連付けられた前記手書きで描かれた文字等とを関連付けて表示する表示部と、を有する修正指示装置などを提案する。
【発明の効果】
【０００８】
主に以上のような構成をとる本発明によって、原稿の印刷媒体を問うことなく、ユーザに対し原稿の修正箇所数を簡易に把握させ、さらには個々の修正箇所の修正内容を明確に把握させることにより当該内容を認識することが可能になる。
【図面の簡単な説明】
【０００９】
【図１】実施形態１の修正指装置の利用方法の概要を示す概略図
【図２】実施形態１の修正指示装置の機能ブロックの一例を示す図
【図３】タスクＩＤ記録部における修正依頼の個数認識の一例を示す図
【図４】タスクＩＤを利用して作成するタスクリストの一例を示す図
【図５】表示部における修正箇所適時表示機能の一例を示す図
【図６】実施形態１の修正指示装置のハードウェア構成の一例を示す図
【図７】実施形態１の修正指示装置の処理の流れの一例を示す図
【図８】実施形態２の修正指示装置の機能ブロックの一例を示す図
【図９】表示調整部における表示調整の一例を示す図
【図１０】実施形態２の修正指示装置のハードウェア構成の一例を示す図
【図１１】実施形態２の修正指示装置の処理の流れの一例を示す図
【図１２】実施形態３の修正指示装置の機能ブロックの一例を示す図
【図１３】原稿イメージ画像修正部における処理の一例を示す図
【図１４】修正履歴保持部において保持される修正履歴の一例を示す図
【図１５】実施形態３の修正指示装置のハードウェア構成の一例を示す図
【図１６】実施形態３の修正指示装置の処理の流れの一例を示す図
【図１７】実施形態４の修正端末の機能ブロックの一例を示す図
【図１８】実施形態４の修正端末のハードウェア構成の一例を示す図
【図１９】実施形態４の修正端末の処理の流れの一例を示す図
【図２０】実施形態５の修正指示システムの処理の流れの一例を示す図
【図２１】実施形態６の修正端末の機能ブロックの一例を示す図
【図２２】実施形態６の修正端末の処理の流れの一例を示す図
【発明を実施するための形態】
【００１０】
以下、本発明の各実施形態について図面と共に説明する。実施形態と請求項の相互の関係は、以下のとおりである。まず、実施形態１は、主に請求項１、７、８、１０などに対応する。実施形態２は、主に請求項２などに対応する。実施形態３は、主に請求項３などに対応する。実施形態４は、主に請求項４、９、１１などに対応する。実施形態５は、主に請求項５などに対応する。実施形態６は、主に請求項６などに対応する。なお、本発明はこれらの実施形態に何ら限定されるものではなく、その要旨を逸脱しない範囲内において、様々な態様で実施し得る。
＜＜実施形態１＞＞
＜概要＞
【００１１】
図１は、本実施形態の修正指示装置の利用方法の一例を示す概念図である。同図が示すように、修正指示装置は、デザイナー等が作成した原稿イメージ画像を格納し、当該イメージ画像をデザイン発注者に送信する。その後デザイン発注者の有する修正端末から修正を依頼する内容の情報を受信すると、当該情報を一の修正依頼単位で認識したうえで個々の修正依頼をタスクＩＤを用いて記録し、各修正箇所を区別して視認可能なように表示する。当該構成をとることにより、印刷媒体に捉われることなく修正箇所や修正すべき内容を修正依頼単位毎に漏れなく修正することが可能になる。
＜修正指示装置の説明＞
＜機能的構成＞
【００１２】
図２は、本実施形態の修正指示装置の機能ブロックの一例を示す図である。この図にあるように、本実施形態の「修正指示装置」０２００は、「原稿イメージ画像格納部」０２０１と、「送信部」０２０２と、「修正依頼受信部」０２０３と、「タスクＩＤ記録部」０２０４と、「表示部」０２０５と、を有する。
【００１３】
なお、以下に記載する修正装置および後記修正端末の各装置の機能ブロックは、いずれもハードウェア、ソフトウェア、又はハードウェア及びソフトウェアの両方として実現され得る。具体的には、コンピュータを利用するものであれば、ＣＰＵやメインメモリ、ＧＰＵ、画像メモリ、グラフィックボード、バス、あるいは二次記憶装置（ハードディスクや不揮発性メモリ、ＣＤやＤＶＤなどの記憶メディアとそれらのメディアの読取ドライブなど）、情報入力に利用される入力デバイス、タッチパネル、専らタッチパネルをタッチする目的で利用する電子ペン、スキャナ装置、プリンタ、その他の外部周辺装置などのハードウェア構成部、またその外部周辺装置用のインターフェース、通信用インターフェース、それらハードウェアを制御するためのドライバプログラムやその他アプリケーションプログラムなどが挙げられる。そして、メインメモリ上に展開したプログラムに従ったＣＰＵの演算処理によって、入力デバイスやその他インターフェースなどから入力されメモリやハードウェア上に保持されているデータなどが加工、蓄積されたり、前記各ハードウェアやソフトウェアを制御するための命令が生成されたりする。ここで、上記プログラムは、モジュール化された複数のプログラムとして実現されてもよいし、２以上のプログラムを組み合わせて一のプログラムとして実現されても良い。
【００１４】
また、本発明は装置として実現できるのみならず、方法としても実現可能であり、後記修正端末をはじめ他の装置との組み合わせによりシステムとしても実現可能である。そして、このような装置の一部をソフトウェアとして構成することも可能である。さらに、そのようなソフトウェアが記録された記録媒体も当然に本発明の技術的な範囲に含まれる（本実施形態に限らず、本明細書の全体を通じて同様である。）。
【００１５】
「原稿イメージ画像格納部」は、印刷物の原稿イメージ画像を格納する機能を有する。具体的には、印刷物の原稿となる文字やピクチャ、あるいはそれらの組み合わせをイメージ画像として原稿単位で記憶し、格納する。ここでいう「印刷物の原稿」には、デザイナー等が作成した印刷物の原案のほか、後記修正端末からの修正依頼に対応して修正が施された修正済み原稿イメージ画像も含まれる。格納する原稿イメージ画像としては、ｊｐｇやｂｍｐ、ｔｉｆ、ｐｄｆ、ｐｎｇ、ｇｉｆ、ｂｍｐ、ｅｐｓ、ａｉなどの拡張子で表される画像データのうちいずれのフォーマットにより構成されていても格納可能な構成とすることが考えられるが、必ずしもこれらのフォーマットに限定されるものではない。
【００１６】
「送信部」は、格納されている原稿イメージ画像を送信する機能を有する。送信先としてはデザイン発注者が保有する後記修正端末などが考えられ、これらの端末に送信された原稿イメージ画像を利用して、後記デザイン発注者による修正指示や修正内容の了承等の情報入力が行われる。
【００１７】
ここで送信する原稿イメージ画像としては、先に説明したように印刷物の原案のほか修正済みのイメージ画像も含まれる。修正済みのイメージ画像を送信する際には、原稿イメージ画像のうち修正を行った対象箇所のみのイメージ画像を送信する部分イメージ画像送信機能を備える構成を採ることも考えられる。修正箇所のみの原稿イメージ画像を受信した修正端末においては、以前に受信し保持している原稿イメージ画像の該当箇所に当該修正箇所を上書きすることにより、修正済みの原稿イメージ画像全体として表示する。このように、送信対象となるイメージ画像の情報を部分的とすることによって、修正指示装置による仕事量の軽減を図ることが可能になる。
【００１８】
「修正依頼受信部」は、送信した原稿イメージ画像上に手書きで描かれることで生成された一以上の文字等を含む修正依頼を受信する機能を有する。「送信した原稿イメージ画像上に手書きで描かれることで生成された」修正依頼とは、原稿イメージ画像中デザイン発注者が修正を望む箇所や当該箇所において希望する修正内容等を記述することにより、どの箇所をどのように修正すべきかを修正担当者等に指示・提案することを可能にするための情報のことを指している。すなわち修正依頼とは、音声情報や紙面へ直接記入された文字情報などを意味するものではなく、具体的な修正内容を示す手書きで描かれた文字等の線群を含む電子的な情報のことを意味している。
【００１９】
なお、ここまでは「修正箇所」と「修正内容」とを区別して説明してきたが、例えば、文字や画像部分に対し二重線を引くことにより、当該情報を把握したデザイナー等は、社会通念上デザイン発注者が当該箇所は削除する修正を行うことを望んでいると理解できる。つまり、「修正箇所」と「修正内容」の情報は必ずしもその双方が別個に存在していなければならないのではなく、修正依頼は、修正内容が理解可能となるよう修正箇所のみを特定することにより構成されるものであってももちろんよい。
【００２０】
ここで、一以上の文字等の具体的な入力の形態としては、例えば、マウスあるいはタッチパネルを備えた端末における静電式ペンの操作などを通じて、原稿イメージ画像上のデザイン発注者が修正を希望する箇所に文字等を入力することなどが考えられる。そして前記タッチパネルを用いた入力形態については、前記静電式のペンを用いる静電容量方式のほか、抵抗膜方式や赤外線方式などいずれの形態を用いてもよく、ペンではなく手指を直接タッチパネルに触れる方法により入力を受付ける形態であってもよい。さらには、前記ペンや手指による入力を相互に併用可能とする構成をとってもよく、その場合には各入力形態によってそれぞれ入力可能な機能を使い分けるような構成をさらに採用してもよい。当該構成をとることにより、デザイン発注者がキーボードやコンピュータそのものの操作に慣れていない老年者等であってもスムーズな修正の入力を行うことが可能になる。
【００２１】
なお、修正依頼は一以上の文字等を含む情報であるが、ここでいう「文字等」とは、文字のほか、直線や曲線、破線などの線、星や二重丸などの図形のように、ディスプレイ上に表示される平面において修正箇所や修正内容についてデザイン発注者や修正担当者等による理解を助けるための情報であればどのような形式であっても構わない。
【００２２】
「タスクＩＤ記録部」は、前記手書きで描かれた文字等の画像認識処理によって前記手書きで描かれた文字等を一の修正依頼単位で認識し、これら一の修正依頼単位毎に文字等と関連付けてタスクＩＤを記録する機能を有する。「前記手書きで描かれた文字等の画像認識処理によって前記手書きで描かれた文字等を一の修正依頼単位で認識し」とはすなわち、手書きで描かれた文字等を構成する画素の画素値情報に基づいて一の修正依頼の範囲を認識する処理のことを意味している。そして、一の修正依頼を他の修正依頼と識別するために用いるのがタスクＩＤである。「画素値情報に基づいて一の修正依頼の範囲を認識する」ための具体的な手段としては、例えば、手書きで描かれた文字等として着目した特定の位置に存在する画素と所定距離内において画素値の同一あるいは近似する画素を当該画素が見つからなくなるまで連続的に探索し、その結果把握される当該画素値の同一あるいは近似する画素で構成される画素群を一の修正依頼として認識する方法が考えられる。なお、ここでいう「所定距離」とは任意に設定することが可能である。このような構成をとることにより、ある限定された範囲の中に複数の修正箇所が存在する場合であっても、相互の修正箇所を混同することなく各々が独立した一の修正依頼として認識することが可能になる。
【００２３】
ここで、図３は、上記画素値の情報を基礎として修正依頼を認識する一例を示す図である。同図上部で示しているのは、原稿イメージ画像中の「大人気」という文字０３０１に手書きで二重線を引いてこれを削除し、「流行中」という文字０３０２に差し替えることを内容とする修正依頼である。当該修正依頼については直線を２本および「流行中」との３文字が手書きで入力されたところ、これらの線および文字はいずれも近接した一定範囲内において画素値が同一である（同色である）画素から構成されていることから、修正依頼の単位としてはこれらをまとめて一として認識する。
【００２４】
なお、上記のように一の修正依頼の範囲を修正依頼毎に正確に把握することにより、修正依頼のタスクリスト化が可能になり、デザイナー等が依頼内容に従って修正を行う際に、同リストを参考にしながら修正作業の進捗を管理することも可能になる。ここで、タスクリスト表示の一例として図４を示す。同図右側に示されているように、タスクリストにおいては、修正依頼がタスクＩＤごとに「カウント欄」０４１０上に表示され、それぞれのタスクＩＤの左側にはチェックボックスが存在する。そして一の修正依頼に対応して修正を完了するごとに当該修正依頼のタスクＩＤの左側にあるチェックボックスをチェック状態にすることにより、当該修正依頼が修正済みであることが他の修正依頼に対応する修正作業中であっても容易に認識できる。さらには、同図右下の「カウント欄」０４２０に示されているように、当該チェック状態に応じて修正が完了した修正依頼の個数と未了の個数とをあわせてカウントのうえ表示することにより、修正作業の進捗状況をも簡単に認識することが可能になる。原稿の数量が多くなり、それに伴い校正や修正の必要量も多くなると、修正担当者による修正漏れ等のミスが生じ得るところ、修正作業の進捗管理が容易に可能となることによって、これらのミスを最小限に減らすことが実現可能になる。
【００２５】
「表示部」は、前記原稿イメージ画像上に前記タスクＩＤとこのタスクＩＤに関連付けられた前記手書きで描かれた文字等とを関連付けて表示する機能を有する。当該機能は、具体的には、デザイン発注者が原稿イメージ画像中のどの箇所にどのような内容の修正を望んでいるかを視認可能とすることを内容としている。なお、先に説明したタスクリストを用いることにより、イメージ画像中の修正を行うべき箇所をピンポイントで表示する修正箇所適時表示機能を備える構成を採用してもよい。「修正を行うべき箇所をピンポイントで表示する」とは、例えば、修正担当者による一の修正が完了した場合に、当該修正が完了したことを示す情報の入力を受付けることにより、従前の表示から前記タスクリスト上次順位にリストアップされている修正依頼の内容である修正箇所に表示を移動変更することが考えられる。
【００２６】
ここで、図５は修正箇所適時表示機能の一例を示す図である。同図においては、タスクリスト上先順位のタスクＩＤ「Ａ００１」にて特定される修正依頼である「流行中」への修正の後に、後順位のタスクＩＤ「Ａ００２」にて特定される修正依頼として、商品価格の文字の色調やフォント、ポイント数等の変更を行う。同図（ａ）にあるように修正担当者による「大人気」を「流行中」に変更する修正作業が完了し、タスクリスト上のチェックボックスをチェック状態にする旨の処理を受付けると、同図（ｂ）にあるように画面上では、商品価格が記載された修正依頼該当部分をピンポイントで拡大表示する。ディスプレイ上で展開される表示に関する上記各処理により、デザイナー等は対応すべき修正依頼の内容を修正依頼毎にピンポイントで視認できるように誘導されることから、的確な修正を行うことが容易になる。
＜修正指示装置の具体的な構成＞
【００２７】
図６は、本実施形態の修正指示装置の機能的な各構成をハードウェアとして実現した際の構成の一例を示す概略図である。この図を利用して、それぞれのハードウェア構成部の働きについて説明する。
【００２８】
この図にあるように、フィルタ処理装置は、各種演算処理を実行するための「ＣＰＵ」０６０１と、「記憶装置（記憶媒体）」０６０２と、「メインメモリ」０６０３と、「入出力インターフェース」０６０４と、を備え、入出力インターフェースを介して、例えば「表示装置」０６０５や「プリンタ」０６０６、「スキャナ装置」０６０７などの外部周辺装置と情報の送受信を行う。記憶装置には各種プログラムが格納されており、ＣＰＵはこれら各種プログラムをメインメモリのワーク領域内に読み出して展開する。なお、これらの構成は、「システムバス」０６０８などのデータ通信経路によって相互に接続され、情報の送受信や処理を行う。
（原稿イメージ画像格納部の具体的な処理）
【００２９】
ＣＰＵは、原稿イメージ画像記憶プログラムを実行し、印刷物の原稿イメージ画像のデータを取得したうえ、当該データをメインメモリの所定のアドレスに格納する。
（送信部の具体的な処理）
【００３０】
ＣＰＵは、前記原稿イメージ画像記憶プログラムの実行により得られたデータを読み出して送信プログラムを実行し、当該データを、ネットワークを通じ任意に定められる修正端末等の送信先に送信する処理を行う。
（修正依頼受信部の具体的な処理）
【００３１】
ＣＰＵは、修正依頼受信プログラムを実行し、修正端末から送信された修正依頼のデータを受信した後、メインメモリの所定のアドレスに格納する。
（タスクＩＤ記録部の具体的な処理）
【００３２】
ＣＰＵは、前記修正依頼受信プログラムの実行により得られたデータを読み出し、当該データを一の修正依頼単位毎に把握するための画像認識処理を行う。そしてその結果得られる手書きの文字等を含む個々の修正依頼の情報をタスクＩＤと関連付ける処理を行い、その結果をメインメモリの所定のアドレスに格納する。
（表示部の具体的な処理）
【００３３】
ＣＰＵは、前記タスクＩＤ記録プログラムの実行により得られた情報を読み出して表示プログラムを実行し、当該情報を表示インターフェースを介してディスプレイ上に表示する処理を行う。
＜処理の流れ＞
【００３４】
図７は、本実施形態の修正指示装置の処理の流れの一例を示す図である。同図の処理の流れは以下のステップからなる。最初にステップＳ０７０１では、印刷物の原稿イメージ画像を記録格納する。次にステップＳ０７０２では、前記記録格納されている原稿イメージ画像を修正端末等の外部装置に送信する。ステップＳ０７０３では、ステップＳ０７０２にて送信した原稿イメージ画像上に手書きで描かれることで生成された一以上の文字等を含む修正依頼を受信する。ステップＳ０７０４は、画像認識処理によって前記手書きで描かれた文字等を一の修正依頼単位で認識する。その後ステップＳ０７０５では、前記一の修正依頼単位毎に文字等と関連付けてタスクＩＤを記録する。そしてステップＳ０７０６では、前記原稿イメージ画像上に前記タスクＩＤとこのタスクＩＤに関連付けられた前記手書きで描かれた文字等とを関連付けて表示する。
＜効果＞
【００３５】
以上の構成を有する修正指示装置により、印刷媒体に捉われることなく修正箇所や修正すべき内容を修正単位毎に漏れなく修正することが可能になる。
＜＜実施形態２＞＞
＜概要＞
【００３６】
本実施形態の修正指示装置は、基本的に実施形態１の修正指示装置と同様であるが、表示部によってディスプレイ上に表示される原稿イメージ画像とタスクＩＤに関連付けて表示される前記手書きで描かれた文字等との少なくともいずれかを強調表示し又は非強調表示するための表示調整部をさらに有することをさらなる特徴として備えている。当該構成を特徴として備えることによって、修正を行うべき箇所とそうでない箇所とをより明確に区別でき、デザイナー等がディスプレイ上の表示を見る際に、個々の修正依頼該当箇所を見落として修正漏れが生じる事態を最小限に抑えることが可能になる。
＜機能的構成＞
【００３７】
図８は、本実施形態の修正指示装置の機能ブロックの一例を示す図である。この図にあるように、本実施形態の「修正指示装置」０８００は、「原稿イメージ画像格納部」０８０１と、「送信部」０８０２と、「修正依頼受信部」０８０３と、「タスクＩＤ記録部」０８０４と、「表示部」０８０５と、「表示調整部」０８０６と、を有する。基本的な構成は実施形態１の図２を用いて説明した修正指示装置と共通するため、以下では相違点である表示調整部について説明する。
【００３８】
「表示調整部」は、表示部によってディスプレイ上に表示される原稿イメージ画像とタスクＩＤに関連付けて表示される前記手書きで描かれた文字等との少なくともいずれかを強調表示し又は非強調表示する機能を有する。ここで、表示調整部の機能の一例を示す図として図９を示す。同図（ａ）では、原稿イメージ画像と前記手書きで描かれた文字等とがいずれも強調表示されている状態を示し、同図（ｂ）では、前記手書きで描かれた文字等のみがタスクＩＤに関連付けて強調表示され、原稿イメージ画像は非強調表示されている状態を示している。各図において示されているように、「強調表示」とは、ディスプレイ上においてユーザが視認しやすい状態で表示を行うことを意味しており、具体的な強調表示の形態としては、例えば、対象となる原稿イメージ画像あるいは文字等の明度を高くして表示する形態や、点滅表示する形態、強調表示の対象となっている事実を意味する内容のアイコンやコメントを付して表示する形態などが考えられる。
【００３９】
いっぽうで「非強調表示」とはディスプレイ上においてユーザが視認しにくい状態で表示を行うことを意味しており、例えば対象となる原稿イメージ画像あるいは文字等の明度を低くして表示する形態などが考えられる。当該形態を用いることにより、相対的に非強調表示されていない箇所の表示を強調させる効果を実現することが可能になる。なお、非強調表示の態様としては、明度の変更という形態ではなく、対象箇所の表示自体を行わない形態によることも考えられる。
＜具体的な構成＞
【００４０】
図１０は、本実施形態の修正指示装置のハードウェア構成の一例を示す概略図である。本実施形態の修正指示装置のハードウェア構成は、基本的には図６を用いて説明した実施形態１の修正指示装置のハードウェア構成と同様であるので、以下では、これまで説明していない表示調整部の具体的な処理について説明する。
（表示調整部の具体的な処理）
【００４１】
ＣＰＵは、前記修正依頼受信プログラムおよびタスクＩＤ記録部にて得られた情報を読み出して表示調整プログラムを実行し、指示入力の受付内容に従い原稿イメージ画像の情報とタスクＩＤに関連付けられる手書きで描かれた文字等の情報との一部を強調表示又は非強調表示するための処理を行い、その結果をメインメモリの所定のアドレスに格納する。
（表示部の具体的な処理）
【００４２】
ＣＰＵは、表示調整プログラムの実行により得られた情報を読み出して表示プログラムを実行し、前記情報の内容に従いディスプレイ上に強調表示又は非強調表示を行う。
＜処理の流れ＞
【００４３】
図１１は、本実施形態の修正指示装置の処理の流れの一例を示す図である。同図の処理の流れは、以下のステップからなる。最初にステップＳ１１０１では、印刷物の原稿イメージ画像を記録格納する。次にステップＳ１１０２では、前記記録格納されている原稿イメージ画像を修正端末等の外部装置に送信する。ステップＳ１１０３では、ステップＳ１１０２にて送信した原稿イメージ画像上に手書きで描かれることで生成された一以上の文字等を含む修正依頼を受信する。ステップＳ１１０４は、画像認識処理によって前記手書きで描かれた文字等を一の修正依頼単位で認識する。その後ステップＳ１１０５では、前記一の修正依頼単位毎に文字等と関連付けてタスクＩＤを記録する。そしてステップＳ１１０６では、原稿イメージ画像又は／及びタスクＩＤに関連付けられた手書きで描かれた文字等を強調表示又は非協調表示するかどうかの入力を受け付ける。その後ステップＳ１１０７では、ステップＳ１１０６にて受け付けた内容に基づき原稿イメージ画像又は／及びタスクＩＤとこのタスクＩＤに関連付けられた前記手書きで描かれた文字等とを関連付けて表示する。
＜効果＞
【００４４】
本実施形態の修正指示装置によって、実施形態１の効果に加え、修正漏れの発生という修正作業において避けるべき事態の発生を最小限に抑えることが可能になる。
＜＜実施形態３＞＞
＜概要＞
【００４５】
本実施形態の修正指示装置は、基本的に実施形態１又は２の修正指示装置と同様であるが、原稿イメージ画像を修正する原稿イメージ画像修正部と、前記一の修正毎にこれを前記タスクＩＤと関連付けて保持する修正履歴保持部とをさらに有することを特徴として備えている。このような構成を特徴として備えることにより、デザイナー等がデザイン発注者の修正依頼に沿って正確な修正を確実に行うとともに、当該修正の経過をデザイン発注者が逐次把握することが可能になる。
＜機能的構成＞
【００４６】
図１２は、本実施形態の修正指示装置の機能ブロックの一例を示す図である。この図にあるように、本実施形態の「修正指示装置」１２００は、「原稿イメージ画像格納部」１２０１と、「送信部」１２０２と、「修正依頼受信部」１２０３と、「タスクＩＤ記録部」１２０４と、「表示部」１２０５と、「原稿イメージ画像修正部」１２０６と、「修正履歴保持部」１２０７と、を有する。基本的な構成は実施形態１の図２を用いて説明した修正指示装置と共通するため、以下では相違点である原稿イメージ画像修正部と修正履歴保持部について説明する。
【００４７】
「原稿イメージ画像修正部」は、原稿イメージ画像を修正する機能を有する。具体的には、デザイナー等による前記修正依頼の内容に従った指示入力を受付けることにより、原稿イメージ画像の内容を変更することを意味している。そして修正依頼に対応する修正が完了した場合には、当該修正後のイメージ画像を新たな原稿イメージ画像として上書き保存してもよいし、従前の原稿イメージ画像とは別に全く新しい原稿イメージ画像を作成して両画像をともに保存してもよい。上書き保存する場合には、原稿イメージ画像中一の修正依頼に対応する修正が完了し次第上書きを行う構成であってもよいし、全ての修正依頼に対応する修正が完了した時点で上書きを行う構成であってもよい。当該構成をとることにより、修正後の原稿イメージ画像のバックアップの取り忘れを防ぐことができる。
【００４８】
なお、図１３において示すように、修正が完了したと認識したタイミングで、当該修正にかかるタスクＩＤに関連付けて表示されていた手書きで描かれた文字等を非表示とするような処理をおこなう構成をとってもよい。当該構成をとることで、修正完了後も前記文字等の表示が残ることにより、印刷会社の担当者や場合によってはデザイナー等自身もが当該箇所の修正が未完了であると勘違いしてしまう事態を回避することが可能になる。
【００４９】
「修正履歴保持部」は、前記一の修正毎にこれを前記タスクＩＤと関連付けて保持する機能を有する。図１４は修正履歴保持部における修正履歴の保持の一例を示す図である。この図が示すように、修正履歴としては、修正作業がなされたかどうか、修正作業結果、修正作業を行った日時等がタスクＩＤ毎に原稿単位で記録、保持することが考えられる。修正指示装置に保持された上記修正履歴は、ネットワークを通じてデザイン発注者の端末において閲覧可能とする構成が考えられるところ、当該構成をとることにより、デザイン発注者は修正の進捗状況を把握することが可能になるほか、デザイナー等にとっても一覧表示が可能な状態で修正履歴を提示することにより、デザイン発注者に対する現状報告がスムーズに行えるというメリットがある。
＜具体的な構成＞
【００５０】
図１５は、本実施形態の修正指示装置のハードウェア構成の一例を示す概略図である。本実施形態の修正指示装置のハードウェア構成は、基本的に図６を用いて説明した実施形態１の修正指示装置のハードウェア構成と同様である。そこで以下では、これまで説明していない原稿イメージ画像修正部と修正履歴保持部の具体的な処理について説明する。
（原稿イメージ画像修正部の具体的な処理）
【００５１】
ＣＰＵは、原稿イメージ画像記録プログラムの実行により得られたデータおよび当該データに対応したタスクＩＤに関連付けられた手書きで描かれた文字等のデータを読み出して修正プログラムを実行し、両データの内容に従い、原稿イメージ画像を修正する処理を行い、その結果をメインメモリの所定のアドレスに格納する。
（修正履歴保持部の具体的な処理）
【００５２】
ＣＰＵは、原稿イメージ画像修正プログラムの実行に伴い修正履歴記録プログラムを実行し、一の修正依頼毎に予め修正履歴として保持すべきと定められた各種の情報を取得し、その結果をタスクＩＤと関連付けてメインメモリの所定のアドレスに格納する。
＜具体的な処理＞
【００５３】
図１６は、本実施形態の修正指示装置の処理の流れの一例を示す図である。同図の処理の流れは、以下のステップからなる。最初にステップＳ１６０１では、印刷物の原稿イメージ画像を記録格納する。次にステップＳ１６０２では、前記記録格納されている原稿イメージ画像を修正端末等の外部装置に送信する。ステップＳ１６０３では、ステップＳ１６０２にて送信した原稿イメージ画像上に手書きで描かれることで生成された一以上の文字等を含む修正依頼を受信する。ステップＳ１６０４は、画像認識処理によって前記手書きで描かれた文字等を一の修正依頼単位で認識する。その後ステップＳ１６０５では、前記一の修正依頼単位毎に文字等と関連付けてタスクＩＤを記録する。そしてステップＳ１６０６では、前記原稿イメージ画像上に前記タスクＩＤとこのタスクＩＤに関連付けられた前記手書きで描かれた文字等とを関連付けて表示する。その後ステップＳ１６０７では、原稿イメージ画像修正のための入力を受け付ける。そしてステップＳ１６０８では、前記一の修正毎にこれを前記タスクＩＤと関連付けて保持記録する。
＜効果＞
【００５４】
本実施形態の修正指示装置によって、実施形態１の効果に加え、修正担当者がデザイン発注者の修正依頼に沿って正確な修正を確実に行うとともに、当該修正の経過をデザイン発注者が逐次把握することが可能になる。
＜＜実施形態４＞＞
＜概要＞
【００５５】
図１は、本実施形態の修正端末の利用方法の一例を示す概念図としても用いることが可能である。同図が示すように、修正端末は、修正指示装置から送信された原稿イメージ画像を受信し、当該イメージ画像上に文字等を描くことで修正依頼を生成し、当該修正依頼を修正指示装置に対し送信する。当該構成を備えることにより、デザイン発注者の意図する具体的な修正内容をデザイナー等に正確に伝え、的確な修正を促すことが可能になる。
＜機能的構成＞
【００５６】
図１７は、本実施形態の修正端末の機能ブロックの一例を示す図である。この図にあるように、本実施形態の「修正端末」１７００は、「原稿イメージ画像受信部」１７０１と、「修正描画部」１７０２と、「修正依頼生成部」１７０３と、「修正依頼送信部」１７０４と、を有する。
【００５７】
「原稿イメージ画像受信部」は、前記送信部から送信された原稿イメージ画像を受信する機能を有する。デザイン発注者がリアルタイムで受信の事実を把握することを可能にするため、例えば、受信後速やかに、予めデザイン発注者の指定する電子メールアドレス宛に原稿イメージ画像受信の事実を通知する電子メールを送信することなども考えられる。
【００５８】
「修正描画部」は、受信した原稿イメージ画像上に手書きで修正依頼である文字等を描く機能を有する。ここでいう「文字等を描く」とは、例えば、原稿イメージ画像中修正依頼の対象となる箇所およびその周辺部が修正依頼対象箇所であることが明確に視認できるよう、文字および図形の色彩や色の明暗や濃淡、これらを構成する線の太さ、線形などを前記周辺部と区別し得るように描くことが考えられる。
【００５９】
なお、前記文字等は、原稿イメージ画像と重なるように存在する異なるレイヤーに手書きで描かれる。具体的な描画の形態については、既に説明したように、例えば、マウスを用いたり、タッチパネルを利用してタッチペンや手指を用いたりすることにより行われる。当該構成をとることにより、描画を行うデザイン発注者はあたかも原稿イメージ画像に直接加筆をして修正依頼を生成入力しているかのような具体的な修正感覚を得ることができる。
【００６０】
「修正依頼生成部」は、修正描画部での描画に基づいて前記修正依頼を生成する機能を有する。具体的には、修正描画部での描画により得られた文字等の原稿イメージ画像における座標位置を特定する情報を生成することを意味している。
【００６１】
「修正依頼送信部」は、生成された修正依頼を送信する機能を有する。ここでの具体的な送信先としては修正指示装置がまずは考えられるところ、ネットワークを介してさらにデザイナー等の修正担当者の保有する端末をも送信先とする構成をとってもよい。
＜具体的な構成＞
【００６２】
図１８は、本実施形態の修正端末の機能的な各構成をハードウェアとして実現した際の構成の一例を示す概略図である。この図を利用して、それぞれのハードウェア構成部の働きについて説明する。
（原稿イメージ画像受信部の具体的な処理）
【００６３】
ＣＰＵは、原稿イメージ画像受信プログラムを実行し、修正指示装置から送信された修正依頼の情報を受信し、当該情報をメインメモリの所定のアドレスに格納する。
（修正描画部の具体的な処理）
【００６４】
ＣＰＵは、原稿イメージ画像受信プログラムの実行により得られる情報を読み出し修正描画プログラムを実行し、手書きによる文字等の入力を受付ける処理を行い、その結果得られる情報をメインメモリの所定のアドレスに格納する。
（修正依頼生成部の具体的な処理）
【００６５】
ＣＰＵは、修正描画プログラムの実行により得られる情報を読み出し修正依頼生成プログラムを実行し、前記情報に基づいて原稿イメージ画像中行うべき修正として依頼することを内容とする情報を生成する処理を行い、その結果得られる情報をメインメモリの所定のアドレスに格納する。
（修正依頼送信部の具体的な処理）
【００６６】
ＣＰＵは、修正依頼生成プログラムの実行により得られる情報を読み出し修正依頼送信プログラムを実行し、当該情報を修正指示装置に対し送信する処理を実行する。
＜処理の流れ＞
【００６７】
図１９は、本実施形態の修正端末の処理の流れの一例を示す図である。同図の処理の流れは以下のステップからなる。最初にステップＳ１９０１では、修正指示装置より送信された原稿イメージ画像を受信する。ステップＳ１９０２ではユーザから当該原稿イメージ画像中に修正すべき箇所があるかどうかの判断に関する入力を受付ける。ここで要修正箇所がある場合にはステップＳ１９０３へ移行し、ない場合にはステップＳ１９０６へ移行する。ステップＳ１９０３では、ステップＳ１９０１にて受信した原稿イメージ画像上に手書きで修正依頼である文字等の描画入力を受け付ける。ステップＳ１９０４では、ステップＳ１９０３にて入力を受け付けた描画に基づいて修正依頼を生成する。ステップＳ１９０５は、ステップＳ１９０４にて生成した修正依頼を送信する。また、ステップＳ１９０６では出稿を承諾する旨の情報を送信する。
＜効果＞
【００６８】
以上のような構成を備える修正端末により、デザイン発注者の意図する具体的な修正内容をデザイナー等に伝え、的確な修正を促すことが可能になる。
＜＜実施形態５＞＞
＜概要＞
【００６９】
図１は、本実施形態の修正指示システムの概要の一例を示す概念図としても用いることが可能である。同図が示すように、デザイナー等により作成されあるいは修正が施されたた原稿イメージ画像は、修正指示装置に格納された後、修正端末に送信され、適宜デザイン発注者による修正依頼生成のための文字等の手書き入力の対象となる。生成された修正依頼は修正端末から再び修正指示装置に送信され、一の修正依頼毎に区別可能な形式で表示される。デザイナー等は当該修正依頼単位毎に識別可能な表示を視認することで当該修正依頼に沿った内容の修正を行った原稿イメージ画像を作成し、修正指示装置に格納する。当該構成を備えることにより、デザイナー等による修正とデザイン発注者による確認とが複数回にわたり行われる場合であっても、デザイン発注者とデザイナー等との意思疎通に齟齬が生じにくく、円滑な原稿修正作業を行うことが可能になる。
＜機能的構成・具体的構成＞
【００７０】
本実施形態の修正指示システムを構成する修正指示装置及び修正端末の基本的な構成は、いずれも実施形態１の図２及び実施形態４の図１７を用いて説明した修正指示装置及び修正端末と共通する。また、上記各装置のハードウェア構成もまた、基本的には図６及び図１８を用いて説明した実施形態１及び実施形態４の各装置のハードウェア構成と同様である。
＜処理の流れ＞
【００７１】
図２０は、本実施形態の修正指示システムの処理の流れの一例を示す図である。最初に修正指示装置におけるステップＳ２００１では、印刷物の原稿イメージ画像を記録格納する。次にステップＳ２００２では、前記記録格納されている原稿イメージ画像を修正端末等の外部端末に送信する。その後修正端末におけるステップＳ２００３では、ステップＳ２００２にて送信された原稿イメージ画像を受信する。ステップＳ２００４ではユーザから、当該原稿イメージ画像中に修正すべき箇所があるかどうかの判断に関する入力を受付ける。ここで要修正箇所がある場合にはステップＳ２００６へ移行し、ない場合にはステップＳ２００５へ移行する。ステップＳ２００５では、修正指示装置に対し原稿イメージ画像の内容での出稿を認める出稿承諾情報を送信し、処理を終了する。ステップＳ２００６では、ユーザの手書きによる文字等の入力を受付け、ステップＳ２００７では、ステップＳ２００６にて受付けた文字等の情報に基づき処理可能な情報として修正依頼を生成する。そしてステップＳ２００８ではステップＳ２００７にて生成した修正依頼を送信指示装置に送信する。その後修正指示装置におけるステップＳ２００９では、前記修正端末から送信された修正依頼を受信し、ステップＳ２０１０では画像処理により前記手書きで描かれた文字等を修正依頼単位で認識する。ステップＳ２０１１では一の修正依頼毎にタスクＩＤを記録し、ステップＳ２０１２では原稿イメージ画像上に、タスクＩＤとタスクＩＤにより関連付けられた手書きで描かれた文字等とを関連付けて表示する。その後は適宜原稿イメージ画像に修正を施す等して、当該原稿イメージ画像を記録格納するためステップＳ２００１の処理に戻る。
＜＜実施形態６＞＞
＜概要＞
【００７２】
本実施形態の修正指示システムにおける修正端末は、基本的に実施形態４の修正端末と同様であるが、修正依頼生成部において、修正描画部での描画に基づいて修正指示の文字等を含み原稿イメージ画像を含まない修正依頼を生成する修正依頼コンパクト化手段をさらに有することを特徴として備えている。このような構成を特徴として備えることにより、修正依頼として送信する情報量を低減することができるため、原稿枚数が大量で原稿イメージ画像の情報量もまた膨大になるような場合、修正依頼として送信すべき情報量の大幅な低減により情報の伝達がスムーズに行われるようになり、ひいては校正・修正作業の全体にかかる時間コストのほかシステム処理上の種々のコストの低減に資する。
＜機能的構成＞
【００７３】
図２１は、本実施形態の修正指示システムにおける修正端末の機能ブロックの一例を示す図である。この図にあるように、本実施形態の「修正端末」２１００は、「原稿イメージ画像受信部」２１０１と、「修正描画部」２１０２と、「修正依頼生成部」２１０３と、「修正依頼送信部」２１０４と、を有し、修正依頼生成部は、さらに「修正依頼コンパクト化手段」２１０５を有する。基本的な構成は実施形態４の図１７を用いて説明した修正端末と共通するため、以下では相違点である修正依頼コンパクト化手段について説明する。
【００７４】
「修正依頼コンパクト化手段」は、修正描画部での描画に基づいて修正の指示の文字等を含み原稿イメージ画像を含まない修正依頼を生成する機能を有する。「修正の指示の文字等を含み原稿イメージ画像を含まない」とは、実施形態４において修正依頼の基礎として新たなレイヤー上に作成されるイメージ画像のうち、修正を指示する内容の文字等の記載のみの部分が修正依頼の内容であることを意味している。このことを端的に示しているのが先に説明した図１３（ｂ）であって、同図において示されているように、修正箇所および修正内容を特定するために描かれた文字等の原稿イメージ画像における座標位置を特定する情報が修正依頼の要素となる情報として位置づけられる。
＜具体的構成＞
【００７５】
本実施形態の修正端末のハードウェア構成は、基本的に図１８を用いて説明した実施形態４の修正端末のハードウェア構成と同様である。そこで以下では、これまで説明していない修正依頼コンパクト化手段の具体的な処理について説明する。
（修正依頼コンパクト化手段の具体的な処理）
【００７６】
ＣＰＵは、修正描画プログラムの実行により得られる情報を読み出し修正依頼コンパクト化プログラムを実行し、前記情報のうち手書き入力に伴い新たに描かれた文字等の画素情報のみを抽出する処理を行い、当該情報に基づいて原稿イメージ画像中行うべき修正として依頼する情報を生成する処理を行い、その結果得られる情報をメインメモリの所定のアドレスに格納する。
＜処理の流れ＞
【００７７】
図２２は、本実施形態の修正端末の処理の流れの一例を示す図である。同図の処理の流れは、以下のステップからなる。最初にステップＳ２２０１では、修正指示装置より送信された原稿イメージ画像を受信する。次にステップＳ２２０２では、ユーザが当該原稿イメージ画像中に修正を要する箇所があるかどうかを確認する。ここで要修正箇所がある場合にはステップＳ２２０３へ移行し、ない場合にはステップＳ２２０６へ移行する。ステップＳ２２０３では、ステップＳ２２０１にて受信した原稿イメージ画像上に手書きで修正依頼である文字等の描画入力を受け付ける。ステップＳ２２０４では、ステップＳ２２０３にて入力を受け付けた描画に基づいて、文字等を含み原稿イメージ画像を含まない内容の修正依頼を生成する。ステップＳ２２０５は、ステップＳ２２０４にて生成した修正依頼を送信する。また、ステップＳ２２０６では出稿を承諾する旨の情報を送信する。
＜効果＞
【００７８】
以上のような構成をとる本実施形態の修正端末を備える修正指示システムによって、原稿量が大量である場合にも、修正依頼ひいては修正作業全体をスムーズに進行させることが可能になる。
【符号の説明】
【００７９】
０６１０…原稿イメージ画像記憶プログラム
０６１１…送信プログラム
０６１２…修正依頼受信プログラム
０６１３…タスクＩＤ記録プログラム
０６１４…表示プログラム
１０１０…表示調整プログラム
１５１０…修正プログラム
１５１１…修正履歴記録プログラム
１８０１…ＣＰＵ
１８０２…記憶装置
１８０３…メインメモリ
１８０４…出入力インターフェース
１８０５…表示装置
１８０６…プリンタ
１８０７…タッチパネル
１８０８…システムバス
１８１０…原稿イメージ画像受信プログラム
１８１１…修正描画プログラム
１８１２…修正依頼生成プログラム
１８１３…修正依頼送信プログラム
【図１】
2014071642.tif 000003
【図２】
2014071642.tif 000004
【図３】
2014071642.tif 000005
【図４】
2014071642.tif 000006
【図５】
2014071642.tif 000007
【図６】
2014071642.tif 000008
【図７】
2014071642.tif 000009
【図８】
2014071642.tif 000010
【図９】
2014071642.tif 000011
【図１０】
2014071642.tif 000012
【図１１】
2014071642.tif 000013
【図１２】
2014071642.tif 000014
【図１３】
2014071642.tif 000015
【図１４】
2014071642.tif 000016
【図１５】
2014071642.tif 000017
【図１６】
2014071642.tif 000018
【図１７】
2014071642.tif 000019
【図１８】
2014071642.tif 000020
【図１９】
2014071642.tif 000021
【図２０】
2014071642.tif 000022
【図２１】
2014071642.tif 000023
【図２２】
2014071642.tif 000024